(57)【要約】【課題】従来の収納部付き本においては、本文頁を開いた状態において平坦な見開きを形成することができなかった。【解決手段】表表紙２と表表紙側収納部２Ｓ、裏表紙３と裏表紙側収納部３Ｓとを、各々一体的に形成し、本文頁１５，１５を挟み込むように形成された収納部付き本１において、表表紙側収納部２Ｓと裏表紙側収納部３Ｓとを、略同一形状、略同一の厚さとする。各収納部には引出部が備えられ、本文頁１５，１５を見開いた状態においても付属部材等の取出し及び収容がスムーズに行いうる。各収納部、各引出部にはそれぞれ梁部が備えられており、頁面に直交する方向の強度の強化が図られている。【選択図】図１
0003122576.tif 000002
【実用新案登録請求の範囲】
【請求項１】
表表紙と裏表紙と本文頁と複数の収納部とを有する収納部付き本であって、
前記複数の収納部は、少なくとも本文頁を開いた状態において、両側に少なくとも一つ以上ずつ設けられていること
を特徴とする収納部付き本。
【請求項２】
前記複数の収納部は、各々前記表表紙及び前記裏表紙と一体的に設けられていることを特徴とする、請求項１に記載の収納部付き本。
【請求項３】
前記複数の収納部の頁面の形状は、前記表表紙及び前記裏表紙と略同一であり、各々の収納部の厚さが略同一であることを特徴とする、請求項１又は請求項２に記載の収納部付き本。
【請求項４】
前記本文頁は、前記複数の収納部に挟まれた位置にあることを特徴とする、請求項１から請求項３のいずれかに記載の収納部付き本。
【請求項５】
前記収納部に引き出し部材を設けたことを特徴とする、請求項１から請求項４のいずれかに記載の収納部付き本。
【請求項６】
前記収納部には、前記引き出し部材に接する梁部材を設けたことを特徴とする、請求項１から請求項５のいずれかに記載の収納部付き本。
【請求項７】
前記引き出し部材に取っ手を設けたことを特徴とする、請求項５又は請求項６に記載の収納部付き本。
【請求項８】
前記本文頁には、マグネット吸着部材が備えられていることを特徴とする、請求項１から請求項７のいずれかに記載の収納部付き本。
【請求項９】
表表紙又は裏表紙の一方または両方に、透明性のフィルムを有する窓穴が設けられていることを特徴とする、請求項１から請求項８のいずれかに記載の収納部付き本。
【考案の詳細な説明】
【技術分野】
【０００１】
この発明は、サンプル、付属部材などを収納するための収納部を備えた収納部付き本に関する。
【背景技術】
【０００２】
本や雑誌の販売にあたって、それらの本や雑誌のテーマに関連したサンプルや見本を付録として添付したり、また雑誌の広告の宣伝効果を高めることを目的として試供品を添付することが従来から行われている。また絵本の中には、教育的効果を高めるものとして、絵合わせ用の絵や文字などを記した駒が付属品として一緒に販売されているものも数多く存在する。
【０００３】
こうしたサンプルや見本、試供品や付属品（以下サンプル等という。）の添付された本や雑誌（以下本等という。）では、サンプル等を収納するための収納部が設けられているものが従来より存在する。
【０００４】
従来の収納部付きの本等として、例えば以下の各特許文献に記されている。
特許文献１には、段ボール等からなる多数の起立するセルを備える厚い緩衝材からなり、下着、アクセサリー等の厚物サンプルの収納部を備えた厚物サンプルパッケージを一緒に製本した厚物サンプルパッケージ付き本が示されている。また特許文献２には、収納体を見栄えよく冊子体から取り外せ、かつ収納物が容易に収納体より取り外せないものであり、かつ安価な収納体の構造を有する冊子体が示されている。
【０００５】
【特許文献１】特開２００３−１８２７７６
【特許文献２】特開２００３−２５７６１
【考案の開示】
【考案が解決しようとする課題】
【０００６】
しかし、特許文献１に示されたように収納部を大きくすると、収納部の空間が大きくなることから本等自体の強度が弱くなり、積み重ねて輸送されることの多い本等においては不都合である。また外観上も厚ぼったくなり、必ずしも好ましいとは言えない。また特許文献２のように収納体を分離すると、冊子部分と共に使用する付属品を収納することが目的である場合には、収納体ごと付属品を紛失する原因となり不都合である。
【０００７】
またこれらの特許文献に開示されている収納部付きの本では、いずれも単一の収納部しか設けられていない。このため本等の本体との間で重量と容量の釣り合いがとれず、また収納部内の収納物の片寄りにより、商品全体としての重心の位置がアンバランスになりがちであり、持ち運びに不便である。
【０００８】
更には、収納部が大きいものでは、本等を開いたときに、収納部側と本文頁側とで大きな段差ができてしまい、所望する頁を開いた状態で保つことが困難であったり、頁をめくるのに困難が生じたりする。本等を開いてその上で駒等を並べたり学習したりすることを目的とした本等、例えば頁上で絵合わせ遊びなどを行う絵本の場合には、上述した収納部側と本文頁側との大きな段差が邪魔となり、本来意図する使用に際して困難が生じる。
【０００９】
そこで本発明の目的は、所望の収納スペースを有する収納部付き本であって、本等の外観、強度を保つことができ、かつ収納部を取り外さない状態で本等の重量・容量バランスを維持し、本文頁を開いたときに不都合な段差を生じない収納部付き本を提供することにある。
【課題を解決するための手段】
【００１０】
請求項１に記載の考案は、表表紙と裏表紙と本文頁と複数の収納部とを有し、本文頁を開いた状態において収納部が表表紙側と裏表紙側とに各々最低一つずつ設けられている収納部付き本を要旨とする。
【００１１】
収納部が本を開いた時に表表紙側と裏表紙側の両側に配置されるので、本文頁を開いている状態においてもバランスが取りやすく、取り扱いやすい。また本の体裁と強度を維持しながら収納領域を増やすことができるため、本に付属するものや関連するものをより多く収納することができる。
【００１２】
また、本考案の収納部付き本において、上述の複数の収納部が、表表紙及び裏表紙と一体的に設けられている構成とすることができる。これにより、平積みの状態で輸送されることの多い本等であっても、輸送中の表紙ズレにより表紙が破損したり、荷崩れすることを防止することができる。
【００１３】
更に本考案の収納部付き本においては、上述の複数の収納部の頁面の形状を表表紙及び裏表紙と略同一とし、各々の収納部の厚さが略同一である構成とすることができる。これにより、本文頁を開いた状態において各々の収納部が本文頁を支える際、略同じ高さで支えることとなるため、本文頁を開いた状態で平坦面を形成することができ、開いた状態を保持しやすく、本文頁の内容が読みやすい。また本文の上に付属物を配置したり動かしたりして使用する絵本などにおいては、平坦部が形成されることで一層使用がしやすくなる。
【００１４】
なお本考案の収納部付き本においては、本文頁を上述の複数の収納部に挟まれた位置に配置することができる。これにより、本文頁を開いた時に平坦面が形成でき、開いた状態を保持しやすく、本文頁の中身が読みやすい。
【００１５】
更に本考案の収納部付き本においては、収納部に引き出し部材を設けることで、内容物の取り出しや収納がスムーズになり、また本を開いたままの状態で内容物の取り出しや収納が可能となる。また引き出し部材の構造により収納部の強度が向上し、本全体としての強度を高めることができる。
【００１６】
また本考案の収納部付き本においては、収納部に、上述の引き出し部材に接する梁部材を設ける構成とすることができる。これにより、引き出し部材のスムーズな出し入れが可能となり、また収納部の強度向上に繋がる。ここで「梁部材」とは、上部からの荷重を支えるために設けられた水平材を意味し、収納部等と別個の部材であってもまた収納部等と一体的に構成されていても良い。素材としては厚紙、ボール紙などの紙素材に限らず、木材、プラスチック等任意の素材を採用することができる。また実際の角材のように中身が詰まっている必要はなく、構成ないし製法に応じ、例えば厚紙の縁部を複数回同一方向に折り返し、中空の角柱状に構成したものも含む。要は上部からの荷重を支える役割を果たすことができれば良い。
【００１７】
なお本考案の収納部付き本においては、上述の引き出し部材に取っ手を設けることができる。これにより、引き出し部材の出し入れがより行いやすくなる。
【００１８】
また、本考案の収納部付き本においては、上述の本文頁にマグネット吸着部材が備えられている構成とすることができる。これにより、マグネット製のキャラクターなどを本文頁の上に吸着させることができ、不安定な場所、例えば車の中や電車の中であっても本発明の収納部付き本を使用することができる。なお「マグネット吸着部材」としては、たとえば薄い鉄板を頁内部に挟んでいてもよく、また薄い鉄板自体が本文頁を構成していても良い。
【００１９】
また、本考案の収納部付き本においては、表表紙又は裏表紙の一方又は両方に、透明性のフィルムを有する窓穴が設けられている構成とすることができる。これにより、本を閉じた状態にあっても、引き出し部材に収納されているサンプル等を外部から視認することができ、購買意欲を向上させることができる。
【考案の効果】
【００２０】
以上、本考案によれば、複数の収納部を設けることにより、従来よりも大きな収納スペースを確保しつつ、本等の強度や見栄えを損なわない収納部付き本を提供することができる。また、収納部を本体と切り離さない状態で使用に供することができるため、本体で用いる付属品を収納することを目的とする収納部である場合には、収納部が本体とバラバラにならず、紛失の危険性が少ない。更には、本文頁を開いた場合にも表表紙側と裏表紙側とに著しい段差が生じず、見開きの平坦部を作り出すことができるので、例えば開いた状態で本文頁の上に駒などをおいて使用に供する絵本等の場合にも使用しやすい収納部付き本を提供することができる。
【考案を実施するための最良の形態】
【００２１】
以下、本考案の具体的な実施形態を、図を参照しつつ説明する。図１は、本考案に係る収納部付き本を閉じた状態における裏表紙３側からの視点による斜視図を示したものである。また図２は本考案に係る収納部付き本を閉じた状態における裏表紙３を正面とした正面図、図３は同右側面図、図４は同平面図、図５は底面図を示したものである。
【００２２】
図１に示すように、本実施例における収納部付き本１は、表表紙２に延接し、前小口５及び裏表紙３の上部を覆う蓋部材６を備えている。この蓋部材６は、内側に備えられた蓋側貼着部材１０，１０（図６及び図７参照）と裏表紙表面に備えられた裏表紙側貼着部材１１，１１（図８参照）とを相互に貼着させることにより、閉じた状態を保持することができる。このように閉じた状態において、図１及び図４に示すように、蓋部材６には取っ手８を引き出すことが出来るように刳り貫き孔７が備えられている。尚この取っ手８は、後述するように、裏表紙側引出部材を引き出すための取っ手の機能をも兼ねている（図１０及び図１１）。
【００２３】
図５に示すように、背表紙４には、繰り返し本を開閉することによる背表紙の劣化を防止し、また折り目が背表紙４の所望の箇所に生じるようにすべく、筋押し９を施している。これにより、収納部付き本１を開く際、筋押し９に沿って背表紙４が折れることになる。
【００２４】
本実施例における収納部付き本１においては、表表紙２、及び裏表紙３と各々一体的に収納部が備えられている。すなわち図１に示すように、表表紙側収納部２Ｓは、後述する表表紙側引出部１３をしまうためのスペーサの役割を担うものであるが、図１及び図３に示すように、表表紙２と一体的に構成されている。同様に裏表紙側収納部３Ｓは、後述する裏表紙引出部１２をしまうためのスペーサの役割を担うものであるが、図１及び図３に示すように、裏表紙３と一体的に構成されている。
【００２５】
また図１及び図３に明らかなように、本実施例における収納部付き本１では、本文頁１５，１５が、表表紙側収納部２Ｓと裏表紙側収納部３Ｓとに挟まれた位置にある。
【００２６】
また、収納部付き本１を裏表紙側から捉えた正面図である図２からも明らかなように、蓋部材６が現実のかばんの前蓋の外観を呈し、また裏表紙３が現実のかばんの胴部の外観を呈し、取っ手８が現実のかばんの手持ち部分の外観を呈している。このように、収納部付き本１全体の外観として、あたかも現実のかばんであるかのような外観を呈しており、使用者の興味を強く惹く。なお持ち運びのしやすさの観点からも、前小口５の面に取っ手が施されていることにより、持ち運びがしやすい。
【００２７】
図６は、本実施例に係る収納部付き本１を開いた状態における斜視図である。また図７は収納部付き本１を開いた状態における正面図であり、図８は収納部付き本１を開いた状態における背面図であり、図９は開いた状態における右側面図である。
【００２８】
図６、図７及び図９からも把握可能な通り、表表紙側収納部２Ｓ及び裏表紙側収納部３Ｓの頁面の形状は、表表紙２及び裏表紙３と同じく、やや縦長の長方形状となっている。なお本実施例においては、本文頁１５，１５の形状も表表紙２及び裏表紙３と略同じ形状すなわちやや縦長の長方形状としている。
【００２９】
また図６に示すとおり、本実施例に係る収納部付き本１においては、表表紙側収納部２Ｓと裏表紙側収納部３Ｓとが、略同じ厚さに構成されている。そのため本文頁１５，１５部分を開いた状態においては、背表紙４（図示しない）が、図５における筋押し９に沿って図５における上下から手前側方向に折れ曲がり、見開きの両ページがほぼ段差のない状態で現れる。このほぼ段差のない様子は、図９において表表紙２側及び裏表紙側３の各本文頁１５，１５が略一直線に現れていることからも把握可能である。
【００３０】
なお本実施例における本文頁１５，１５は、表表紙側収納部２Ｓ及び裏表紙側収納部３Ｓに挟まれた位置にある。また本実施例においては本文頁１５，１５は、やはり略同じ厚さで２枚配されている。従って、中央を見開く状態にあっては、表表紙２側の厚さは（表表紙収納部２Ｓの厚さ＋本文頁１５の１枚分の厚さ）となり、裏表紙３側の厚さは（裏表紙収納部３Ｓの厚さ＋本文頁１５の１枚分の厚さ）となる。従って中央頁を見開いている状態においては見開き左右の頁がほぼ同じ高さとなる。
【００３１】
図６及び図７において、表表紙側収納部２Ｓには表表紙側引出部１３（図１０参照）が、裏表紙側収納部３Ｓには裏表紙側引出部１２がそれぞれ備えられている。表表紙側引出部１３は引出紐１４を引っ張ることにより、裏表紙側引出部１２は取っ手８を引っ張ることにより、それぞれ各収納部から引き出し可能であり、例えば中に収容されたサンプルや付属品などを取り出したり、また使い終わった付属品を片付けたりすることができる。図１０は本実施例にかかる収納部付き本１において、各引出部（表表紙側引出部１３及び裏表紙側引出部１２）を引き出した状態における斜視図である。このように、本実施例にかかる収納部付き本１においては、本文頁１５，１５を見開いた状態のままでも各引出部に収容されたサンプルや付属品の出し入れを行うことができる。
【００３２】
なお、図１０においては、表表紙側引出部１３は図示では裏向きに形成されているが、これは例えば表表紙２に窓穴を設け、透明性フィルムなどで表表紙側引出部１３に収容されたサンプルや付属品などが本を閉じた状態でも視認可能に構成したものであり、表裏逆（すなわち図示において収容スペースを上側）に構成することができる。窓穴の形状は、丸型や矩形状にしたり、また本の内容に関連した形状にすることで、より購買意欲を向上させることができる。
【００３３】
ここで各引出部について説明をする。図１１は裏表紙側引出部１２を収容スペースが見える側から示したものであり、図１２は表表紙側引出部１３を収容スペースが見える側から示したものである。また図１３は図１１におけるＥ−Ｅ断面図であり、図１４は図１２におけるＦ−Ｆ断面図である。これらの各引出部においては、引出部を構成する紙部材（ボール紙、厚紙）の縁部を角筒状に折り曲げることにより、中空の梁の形状にしている（裏表紙側引出部梁部２１及び表表紙側引出部梁部２２）。これにより、引出部材自体の強度を高めているばかりでなく、収納部付き本１を持ち運ぶ際においても収納部付き本１自体の強度を高めている。
【００３４】
図１５及び図１６は、図３におけるＡ−Ａ断面図及びＢ−Ｂ断面図である。図１５には裏表紙側収納部３Ｓの内部形状が示されている。裏表紙側収納部梁部２３が裏表紙側収納部３Ｓの外縁（収納部付き本１における天及び地の各面に沿った外縁）に施されている。この裏表紙側収納部梁部２３も、上述の各引出部の梁部と同様、収納部を構成する紙部材の縁部を角筒状に折り曲げることで収納部と一体的に形成されている。
【００３５】
また裏表紙側引出部１２が挿入されるスペースの両脇部に沿って、裏表紙側収納部引出ガイド梁部２４が備えられている。この裏表紙側収納部引出ガイド梁部２４が裏表紙側引出部１２を挿入する際にガイドの役割を果たし、出し入れの際にも裏表紙側引出部１２が歪んだり引っかかったりすることなく、スムーズに出し入れが可能である。またサンプルや付属部材などが裏表紙側収納部３Ｓ内に取り残されることを防止することができる。
【００３６】
またこれらの梁部（裏表紙側収納部梁部２３及び裏表紙側収納部引出ガイド梁部２４）は、前述の裏表紙側引出部梁部２１とともに、収納部付き本１自体の強度を高める役割を果たす。図１７は図７におけるＣ−Ｃ断面図である。図示に明らかなように、裏表紙側引出部１２の収容スペースを含め、裏表紙側収納部３Ｓの空洞部分の存在にも関わらず、計６つの梁部材が図示縦方向の強度を支える。これにより、例えば本文頁１５に直交する方向に圧力がかかった場合においても潰れにくい。
【００３７】
同様に表表紙側収納部２Ｓにおいても、図１６に示すように表表紙側収納部梁部２５及び表表紙側収納部引出ガイド梁部２６が構成されている。図１８は図７におけるＤ−Ｄ断面図である。ここに示すように、これらの梁部と表表紙側引出部梁部２２とが、図示縦方向の強度を高める働きをしている。
【００３８】
次に、本実施例にかかる収納部付き本１の本文頁１５の構造につき説明する。図１９は本実施例１にかかる収納部付き本１の本文頁１５の部分断面を示したものである。本文頁１５は、１枚のアイアンペーパー１５Ｉを２枚の紙頁部材１５Ｐで挟み込んで構成されている。ここでアイアンペーパーとは、磁石吸着性を有する部材である。このアイアンペーパーはマグネット吸着部材に相当する。
【００３９】
図２０は本実施例に係る収納部付き本１の使用状態における図である。例えば付属部材としてマグネット付き駒２７を本文頁１５に吸着させることができる。マグネット付き駒２７・・２７を例えば種々の果物の形状を施し、本文頁にこれに相応した枠を備えておくことにより、絵合わせ絵本として使用することが可能である。その際、マグネット付き駒２７・・２７は磁石により本文頁に吸着することから、振動が生じる場所、例えば電車の中などで使用する場合もマグネット付き駒２７を紛失しにくいといった利点がある。
【００４０】
以上述べてきたように、本実施例に係る収納部付き本１においては、表表紙２側と裏表紙３側それぞれに収納部を備えているため、単一の収納部しか備えていないものに比べ収納能力が高い。
【００４１】
また、各収納部が表表紙２と裏表紙３各々と一体的に構成されていることから、輸送に際しても表紙ズレ等の問題が生じることがなく、輸送しやすい。
【００４２】
また各収納部が略同じ厚さに構成されていることから、本文頁１５を見開いた状態において段差が生じず扱いやすい。殊に、絵合わせ絵本など本文頁１５の表面に付属部材を置いて使用することを想定した本においてはその効果が高い。更に、収納部には引き出し部材を設けていることにより、本文頁１５を見開いた状態においてもサンプルや付属部材などを容易に出し入れすることができる。
【００４３】
また、収納部には引き出し部材の出し入れ口に沿った梁を設けていることから、引き出し部材の出し入れがスムーズに行えるばかりでなく、空洞の多い本実施例の収納部付き本１自体の強度を高めることができる。
【００４４】
そして、本文頁１５はマグネット吸着部材を含んだ構成となっていることから、マグネット付き駒２７を吸着させることができ、振動がある環境においても本実施例にかかる収納部付き本１を使用することが容易になる。
【図面の簡単な説明】
【００４５】
【図１】本考案に係る収納部付き本を閉じた状態における斜視図である。
【図２】本考案に係る収納部付き本を閉じた状態における、背表紙側を正面とした正面図である。
【図３】本考案に係る収納部付き本を閉じた状態における、背表紙側を正面とした右側面図である。
【図４】本考案に係る収納部付き本を閉じた状態における、背表紙側を正面とした平面図である。
【図５】本考案に係る収納部付き本を閉じた状態における、背表紙側を正面とした底面図である。
【図６】本考案に係る収納部付き本を開いた状態における斜視図である。
【図７】本考案に係る収納部付き本を開いた状態における、本文頁側を正面とした正面図である。
【図８】本考案に係る収納部付き本を開いた状態における、本文頁側を正面とした背面図である。
【図９】本考案に係る収納部付き本を開いた状態における、本文頁側を正面とした右側面図である。
【図１０】本考案に係る収納部付き本を開いた状態において、各引出部を引き出した状態における斜視図である。
【図１１】裏表紙側引出部の、収容スペース側からの正面図である。
【図１２】表表紙側引出部の、収容スペース側からの正面図である。
【図１３】図１１におけるＥ−Ｅ断面図である。
【図１４】図１２におけるＦ−Ｆ断面図である。
【図１５】図３におけるＡ−Ａ断面図である。
【図１６】図３におけるＢ−Ｂ断面図である。
【図１７】図７におけるＣ−Ｃ断面図である。
【図１８】図７におけるＤ−Ｄ断面図である。
【図１９】本考案に係る収納部付き本の、本文頁の構造を示す部分断面図である。
【図２０】本考案に係る収納部付き本の使用状態の一例を示す図である。
【符号の説明】
【００４６】
１        収納部付き本
２        表表紙
２Ｓ      表表紙側収納部（収納部）
３        裏表紙
３Ｓ      裏表紙側収納部（収納部）
４        背表紙
５        前小口
６        蓋部材
７        刳り貫き孔
８        取っ手
９        筋押し
１０      蓋側貼着部材
１１      裏表紙側貼着部材
１２      裏表紙側引出部
１３      表表紙側引出部
１４      引出紐
１５      本文頁
１５Ｐ    紙頁素材
１５Ｉ    アイアンペーパー（マグネット吸着部材）
２１      裏表紙側引出部梁部
２２      表表紙側引出部梁部
２３      裏表紙側収納部梁部
２４      裏表紙側収納部引出ガイド梁部（引き出し部材に接する梁部材）
２５      表表紙側収納部梁部
２６      表表紙側収納部引出ガイド梁部（引き出し部材に接する梁部材）
２７      マグネット付き駒
【図１】
0003122576.tif 000003
【図２】
0003122576.tif 000004
【図３】
0003122576.tif 000005
【図４】
0003122576.tif 000006
【図５】
0003122576.tif 000007
【図６】
0003122576.tif 000008
【図７】
0003122576.tif 000009
【図８】
0003122576.tif 000010
【図９】
0003122576.tif 000011
【図１０】
0003122576.tif 000012
【図１１】
0003122576.tif 000013
【図１２】
0003122576.tif 000014
【図１３】
0003122576.tif 000015
【図１４】
0003122576.tif 000016
【図１５】
0003122576.tif 000017
【図１６】
0003122576.tif 000018
【図１７】
0003122576.tif 000019
【図１８】
0003122576.tif 000020
【図１９】
0003122576.tif 000021
【図２０】
0003122576.tif 000022